(57)【要約】【課題】入力ソースごとに音量制御が可能なテレビにおいて、今まで視聴していたソースから他ソースに入力切換したときに、入力切換終了と同時に急に大音量が出力される恐れがありユーザに不快感を与える恐れがあった。【解決手段】音量が大きく変化する場合のみに段階的に音量変化させる処理を実行し、あるいは大きくなる場合はゆっくり、小さくなる場合は素早く段階的に音量を変化させる。また、音量が上昇していく様子をＯＳＤ表示してユーザに明示する。【選択図】図１
2008005268.tif 000002
【特許請求の範囲】
【請求項１】
音声入力ソース毎に音量を設定可能な複数の音声入力ソースから所望の入力ソースを選択して再生するＡＶ装置の音量調整方法において、
前記音声入力ソースの切換前後の音量を比較し、前記音量の比較の結果に応じて、前記音入力ソースの切換後の音量の変化を制御することを特徴とする音量調整方法。
【請求項２】
請求項１に記載の音量調整方法において、
前記音量の比較の結果、音量が上昇する場合には、音量を入力ソースの切換前の設定された音量から入力ソースの切換後の設定された音量まで段階的に変化させるステップの変化の幅を小さく設定することを特徴とする音量調整方法。
【請求項３】
請求項１または請求項２に記載の音量調整方法において、
入力切換前の設定された音量と入力切換後の設定された音量を、ＯＳＤ表示によりＡＶ機器の表示画面に表示することを特徴とする音量調整方法。
【請求項４】
請求項１ないし請求項３のいずれかに記載の音量調整方法において、
入力切換前の音量設定値から入力切換後の音量設定値へと音量が上昇していく様子をＯＳＤ表示することを特徴とする音量調整方法。
【請求項５】
請求項１ないし請求項４のいずれかに記載の音量調整方法において、
音量の調整に代えて、あるいは、音量の調整に加えて、音質の調整を行うことを特徴とする音量調整方法。
【発明の詳細な説明】
【技術分野】
【０００１】
本発明は、入力切換時の音量調整方法に関する。
【背景技術】
【０００２】
最近のテレビジョン装置では、アナログチューナー、デジタルチューナー、外部入力端子等の複数の入力ソースを切り換えることができ、入力ソースごとに音量を調整することが可能である。
【０００３】
特許文献１には、入力切換時に一定時間低いレベルの音量に設定したのち段階的に音声レベルを高めて本来の入力レベルに到達するように制御することが記載されている。また、特許文献２には、入力ソース毎に音量レベルの変化量データを設定することができ、選択された入力ソースに応じて変化量データを切り換えることが記載されている。更に、特許文献３には、放送チャンネル、又は外部入力チャンネルに対応した調整データメモリのデータエリアから、調整データが読み出され、その調整データにしたがい自動的に音量調整がなされる。この自動調整により所望の音量とならない場合には、ユーザのマニュアル操作により音量調整を行なう。このマニュアル操作による音量の変化量を蓄積することにより得られる重み付けデータを前記調整データに重畳することにより、新たな調整データを算出し、前記データエリアに記憶するようにすることが記載されている。
【特許文献１】特開平１１−２９８８０７号公報
【特許文献２】特開２００４−３２２２６号公報
【特許文献３】特開平７−２２２０７８号公報
【発明の開示】
【発明が解決しようとする課題】
【０００４】
しかしながら、従来技術である特許文献１の場合には、入力切換の前後の音量設定の関係を比較していないので、入力切換後のソースの方が、音量設定が小さい場合においても、段階的な音量変化が行われてしまい、また、入力切換後に一定時間低いレベルの音量に設定されるが、視聴している環境によりその音量自体の大きさも問題になる。例えば広い環境にてテレビを視聴している場合、低いレベルの音量自体が聞こえないレベルになっている可能性があるという問題点があった。
【０００５】
また、特許文献２の場合には、入力ソースごとに変化量を設定できるのは、通常の音量調整時の１つの音量変化に対してであり、入力切換後の音量調整の構成を備えていない。
【０００６】
また、特許文献３の場合には、視聴している放送チャンネル、又は外部入力チャンネルごとに音量をデータエリアに保持しており入力切換後にはその音量に設定されるので、保持している音量データが入力切換前と後のソースで保持している音量データに差がある場合、入力切換時に急激な音量変化が起き、音量制御中にどこまで音量が変化するかがユーザには不明であり、また、入力ソースごとに音量制御が可能なテレビにおいて、今まで視聴していたソース（以後ソースａと表記）から他ソース（以後ソースｂと表記）に入力切換したときに、ソースｂの音量設定がソースａの音量設定より大きく設定されている場合に、入力切換終了と同時に急に大音量が出力される恐れがありユーザに不快感を与える恐れがあった。
【０００７】
本発明の目的は、ソースａの音量設定よりソースｂの音量設定が大きい場合、入力切換終了時にはまずソースａの音量を設定して、段階的にソースｂの音量設定値まで音量を上げていくようにすることにより、ユーザに不快感を与えずに音量を設定し、さらに、音量制御中をユーザに明確化する方法として制御中はＯＳＤ表示をすることによりユーザにわかりやすくすることである。
【課題を解決するための手段】
【０００８】
本発明は、音量が大きく変化する場合のみに段階的に音量変化させる処理を実行する。あるいは大きくなる場合はゆっくり、小さくなる場合は素早く段階的に音量を変化させることを特徴とする。
【０００９】
入力切換後の音量設定が入力切換前の音量なので、ユーザに違和感を与えない、また、音量が上昇していく様子をＯＳＤ表示することにより、ユーザに明確化できる。
【発明の効果】
【００１０】
本発明によれば、入力切換のたびに音量を段階的に変化させる必要がなく、入力切換後の最初の音量もユーザに違和感を与えることがない音量が設定され、音量が段階的に変化する様子をＯＳＤ表示することによって、ユーザに音量が変化する状況を明確化でき、わかりやすい効果が得られ、さらに、最終的に音量の変化する値も確認でき、その音量値が最適な音量でない場合は、音量変化中にユーザ操作により音量変化を止め、その時点の音量をそのソースの音量データとして保持できる。
【発明を実施するための最良の形態】
【００１１】
以下、図面を用いて、本発明の実施の形態について説明する。
【実施例１】
【００１２】
図１は、本発明の実施例１の入力ソース切換後の音声調整の図を示している。図１において、１は表示画面、２は音量バー、３は音量設定値である。最近のテレビジョン装置などのＡＶ機器においては、アナログチューナー、デジタルチューナー、外部入力端子等の複数の入力ソースを切り換えることができる。
【００１３】
本発明の実施例１では、ＡＶ機器の表示装置の表示画面１上に、ＯＳＤ（On Screen Display）技術を用いて、音量バー２あるいは音量設定値３を表示する。特定の入力ソースに対して音量設定値３を設定すると、音量バー表示に実際にスピーカから発生する音量に対応した音量表示がなされる。例えば、図１において、現在値と表示された音量バーの表示では、全体のうち、黒色部分で示される割合の音量の出力が設定されている。
【００１４】
図１は、特定の入力ソースａに対して、現在値と表示された音量バー中の黒色部分に対応した音量での視聴を行っている状態で、入力ソースを切換えた状態を示している。入力ソースを例えば、入力ソースａから入力ソースｂに切換えると、入力ソースｂの場合には、入力ソースａの場合と異なる音量設定値３、例えば、設定値２０が設定されており、音量バー表示は、入力ソースａの黒色で示される位置から、灰色で示される音量に変更される。図１の場合には、従来は、音量バーの灰色の位置は、黒色の位置よりも右側であり、入力ソースの切換えに伴い、現在値として比較的、音量の小さい黒色で表示される状態から、音量の大きい灰色で表示される状態に移動し、スピーカから急に大音量が発声され、ユーザに不快感を与えていた。
【００１５】
本発明の実施例１では、入力ソースの切換え時に、切換え後の音量バーによって示される音量設定が切換え前の「現在値」より大きくなる場合には、切換え前の音量レベル「現在値」から切換え後の音量レベル「入力切換後の音量設定値」まで、スピーカの音量レベルを段階的にゆっくりと変化させ、切換え後の音量バーによって示される音量設定が切換え前の「現在値」より小さくなる場合には、切換え前の音量レベル「現在値」から切換え後の音量レベル「入力切換後の音量設定値」まで、スピーカの音量レベルを直ちに変化させるか、あるいは、段階的にすばやく変化させるようにする。
【実施例２】
【００１６】
図２は、本発明の実施例２の音量設定値が大きい場合の音量切り換え時の画面表示図である。図２において、図１と同様に、１は表示画面、２は音量バー、３は音量設定値である。図２では、特定の入力ソースａに対して、黒色部分に対応した音量での視聴を行っている状態で、入力ソースｄに切換えた場合を示している。入力ソースｄの場合には、音量設定値３は、図示のように、設定値６０が設定されており、音量バー表示は、灰色で示される音量が音量バー全体に表示されている。本発明の実施例１と同様に、スピーカから出力される音量レベルが段階的にゆっくりと増加しても、音量バーの灰色表示は、やがて最大の音量レベルに達し、大音量となることが予測される。
【００１７】
本発明の実施例２では、音量バー表示を参照して大音量が予測される場合には、音量の設定を変更することができる。例えば、ＡＶ機器本体の操作キーあるいは遠隔操作のリモコンの操作キーのうち、音量キーを操作することにより、音量設定値“６０”を例えば音量設定値“２０”に変更することができる。
【００１８】
この音量設定値の変更により、図２の音量バー２と音量設置値３は、⇒の左側の表示画面から⇒の右側の表示画面へと変化し、音量バー２に新たな音量設定値（黒色部分）が表示され、入力ソース切換え後のスピーカから出力される音量レベルの変更を確認することができる。
【実施例３】
【００１９】
本発明の実施例３では、スピーカからの音量レベルに対応した音量レベルを音量バー２上に表示している。図１及び図２においては、音量バー２には、入力ソース切換え前の「現在値」と入力ソース切換え後の「ここまで音量が上がるという設定値」が表示されているが、「現在値」から「ここまで音量が上がるという設定値」までに段階的にスピーカからの音量レベルを変化させる場合に、スピーカからの音量レベルに対応した音量レベルを音量バー２上に表示し、音量が上昇していく様子をＯＳＤ表示により、ユーザに明確に示すこともできる。あるいは、スピーカの音量レベルに対応した音量バーの表示と、「現在値」及び／または「ここまで音量が上がるという設定値」とを組み合わせることにより、切換え前の「現在値」から現在のスピーカの音量レベルがどの程度、変化したか、あるいは、現在のスピーカの音量レベルが最終的な予定の音量レベルまでどの程度であるかをユーザに示すようにすることができる。
【実施例４】
【００２０】
図３は、本発明の実施例４の入力切換時の自動音量調節を適用したテレビシステムブロック図である。図３において、１１はアナログ放送用チューナ、１２はデジタル放送（ＢＳ，ＣＳ、地上デジタル，デジタルＣＡＴＶ放送等）用のチューナ、１３は外部入力用のチューナ１，２，・・・，ｎを示し、１４は音声がデジタル信号で入力されるＨＤＭＩ（High Definition Multimedia Interface）を示している。１５はＡＶセレクタ、１６は映像信号処理部、１７は表示画面制御部、１８は表示装置（ＬＣＤ，ＰＤＰ等）、１９は音声信号処理部、２０は音量制御部、２１はＤＡＣ（Digital Analog Converter）、２２は音声ＡＭＰ出力部、２３はスピーカを示している。また、不揮発性メモリ２５には、アナログチューナー音量記憶領域２６、デジタルチューナー音量記憶領域２７、外部入力１音量記憶領域２８，・・・，外部入力ｎ音量記憶領域２９が設けられている。
【００２１】
テレビシステムの全体は、マイコン２４で制御されていると共に、マイコン２４は、不揮発性メモリ２５のアナログチューナー音量記憶領域２６、デジタルチューナー音量記憶領域２７、外部入力１音量記憶領域２８，・・・，外部入力ｎ音量記憶領域２９に記憶された音量設定値に応じて、音声信号処理部１９内の音量制御部２０を制御してスピーカ２３から発生する音量レベルを設定する。
【００２２】
図３において、アナログ放送用チューナ１１、デジタル放送用チューナ１２、外部入力用のチューナ１３、あるいは、ＨＤＭＩからの入力信号は、ＡＶセレクタ１５で選択され、映像信号は、映像信号処理部１６で処理されて表示装置（ＬＣＤ，ＰＤＰ等）１８に出力される。音声信号は、音声信号処理部１９で処理されてスピーカ２３に出力される。映像信号処理部１６には表示画面制御部１７が設けられ、例えば、ＯＳＤ表示などの制御を行う。これらの制御は、全体的にはマイコン２４の制御により行われ、表示装置１８の画面上に各種設定画面を表示して、テレビシステムの動作条件の設定などを行うことができる。
【００２３】
図４は、図３のテレビシステムブロック図におけるＡＶセレクタの詳細図である。図４において、ＡＶセレクタ１５の内部には、セレクタ３１とＡＤＣ（Analog Digital Converter）３２とセレクタ３３が配置され、セレクタ３１は、アナログ放送用チューナ１１、デジタル放送用チューナ１２、外部入力用のチューナ１３からの音声信号を選択して、ＡＤＣ３２でデジタル信号に変換する。また、ＡＤＣ３２でデジタル信号に変換された音声のデジタル信号とＨＤＭＩからの音声入力信号はそのままセレクタ３３に入力され、各入力ソースの音声デジタル信号は、セレクタ３３で選択されて、音声出力経路３６に出力される。また、マイコン２４からの制御信号３４により、ＡＶセレクタ３１及びセレクタ３３が制御されて、各入力ソースからの音声信号を切換えることができる。
【００２４】
本発明の実施例４では、図３に示されたＡＶセレクタ１５による入力ソースの切換えに対応して、マイコン２４は不揮発性メモリ２５内の各入力ソースに対応した音量設定値を参照し、音声信号処理部２０内の音量制御部２０を制御し、スピーカ２３から発生する音量を段階的に大きくする等の制御を行って、入力ソースの切換時の不快な音量の発生を防止する。
【実施例５】
【００２５】
図５は、本発明の実施例５のソースａからｂへの入力切換時のフローチャートである。図５では、ステップＳ１で音声調整手順が開始されると、まず、ステップＳ２で入力切換開始処理を行い、音声ミュートと開始処理を行う。次に、ステップＳ３において、入力ソースを切り換える入力切換処理を実行する。ステップＳ４において、入力切換前の入力ソースａの音量と入力切換後の入力ソースｂの音量レベルのデータを取得する。次いで、ステップＳ５に移行し、入力切換を終了するが、入力切換後は、最初に、入力切換前のソースａにおいて設定されていた音量と同じ音量を設定する。
【００２６】
ステップＳ６において、設定された音量が入力切換後の入力ソースｂの音量と同じであるか否かが判断される。設定された音量が入力切換後の入力ソースｂの音量と同じである場合には、そのままの音量が維持され、ステップＳ１３に移行して音声調整手順が終了する。
【００２７】
ステップＳ６において、設定された音量が入力切換後の入力ソースｂの音量と等しくない場合には、ステップＳ７において、ａの音量を１ステップ上げるまたは下げて、ｂの音量に近づける。
【００２８】
ステップＳ７において音量を入力ソースａの音量から変化させていく状態で、ステップＳ８においてユーザは音量キーを押すことができる。ステップＳ８においてユーザが音量キーを押すと、ステップＳ９において、ユーザが音量キーを押した時点での音量が設定され、ステップＳ１３に移行して音声調整手順が終了する。
【００２９】
ステップＳ８で、ユーザが音量キーを押さない場合には、ステップＳ１０に移行し、音量が上昇であるか否かが判断される。ステップＳ１０において、音量が上昇の場合には、ステップＳ１１に移行し、ステップＳ１１において、次ステップの実行まで時間を空け、ステップＳ１０において、音量が上昇でない場合には、ステップＳ１２において、次ステップを早く実行する。ステップＳ１１またはステップＳ１２のあとは、ステップＳ６に戻り、各ステップを繰り返す。
【００３０】
以上のように、本発明の実施例５のソースａからｂへの入力切換時のフローチャートでは、ソースａの音量から上昇する場合には段階的に比較的ゆっくりと１ステップ上げていくのに対し、ａの音量から下降または同じ場合にはａの音量を直ちにｂの音量に下げるか、あるいは、段階的に比較的早くｂの音量まで下げるようにすることができる。
【００３１】
以上の実施例５では、ステップＳ１０において、音量上昇であるか否かを判断して、次のステップまでの時間の調整を行ったが、ステップＳ６において、入力ソースａの音量と入力ソースｂの音量を比較した場合に、入力ソースｂの音量が入力ソースａの音量よりも大きく、しかも、入力ソースｂの音量と入力ソースａの音量の差が相当程度大きい場合、即ち、音量が大きく変化する場合にのみ、入力切換後、入力ソースｂでは大音量になる可能性があるので、入力ソースａの音量から音量を段階的に上げていく場合に相当程度ゆっくりと上げていくように設定することもできる。
【００３２】
また、音量が段階的に変化する様子をＯＳＤ表示（音量バー等）をすることによりユーザに制御中かどうかを明確化し、音量がどこまで変化するのかを表示することができる。
【００３３】
また、入力切換前後の音量設定値を比較するのに、入力切換前後のソースの音量の設定値を取得する必要がある。取得する方法として、まず１つに不揮発性メモリにアナログチューナー、デジタルチューナー、外部入力などの音量設定値を保存しておき入力切換時に、入力切換前ソースａと入力切換後ソースｂの音量設定値をメモリから参照し比較するために使用する。他の参照法としては入力切換したときの音量を履歴に残しておくことによってそれを参照し、入力切換前ソースａ、入力切換後ソースｂの音量を比較のために使用することができる。
【００３４】
また、動作方法としてソースａ、ソースｂの音量を比較し、入力切換後の音量が入力切換前と異なる場合は入力切換前の音量に段階的に設定する際に、リモコンで音量を操作するとその音量が設定されて、音量の段階的な増減は終了するように設定することができる。
【００３５】
また、音量バーの表示方法はマイコンから音量情報などの作成情報を表示画面制御部に送り、表示画面制御部にて音量バーを作成し、映像信号処理部で音量バーと映像を合成して表示装置へ出力することができる。
【００３６】
なお、以上の説明では、音量の調整方法について説明したが、本発明を音量の調整に代えて音質の調整に適用すること、あるいは、音量の調整および音質の調整に適用することができる。
【図面の簡単な説明】
【００３７】
【図１】図１は本発明の実施例１の入力切換後の音量調整の図である。
【図２】図２は本発明の実施例２の音量切り換え時の画面表示図（音量設定値が大きい場合）である。
【図３】図３は本発明の実施例４の入力切換時の自動音量調節を適用したテレビシステムブロック図である。
【図４】図４は図３のテレビシステムのＡＶセレクタの詳細図である。
【図５】図５は本発明の実施例５のソースａからｂへの入力切換時のフローチャートである。
【符号の説明】
【００３８】
１    表示画面
２    音量バー
３    音量設定値
１１    アナログ放送用チューナ
１２    デジタル放送用チューナ
１３    外部入力用チューナ
１４    ＨＤＭＩ
１５    ＡＶセレクタ
１６    映像信号処理部
１７    表示画面制御部
１８    表示装置
１９    音声信号処理部
２０    音量制御部
２１    ＤＡＣ
２２    音声ＡＭＰ出力部
２３    スピーカ
２５    不揮発性メモリ２５
２６    アナログチューナー音量記憶領域
２７    デジタルチューナー音量記憶領域
２８    外部入力１音量記憶領域
２９    外部入力ｎ音量記憶領域２
【図１】
2008005268.tif 000003
【図２】
2008005268.tif 000004
【図３】
2008005268.tif 000005
【図４】
2008005268.tif 000006
【図５】
2008005268.tif 000007